(57)【要約】【課題】本発明はケーブルと機器との間で信号を平衡伝送する平衡伝送用コネクタ及び平衡伝送用ケーブルアッセンブリに関し、配線を容易とするとともに、伝送特性を向上することができる平衡伝送用コネクタ及び平衡伝送用ケーブルアッセンブリを提供することを目的とする。【解決手段】本発明は、プラグ本体とケーブルとを中継する中継基板を有する平衡伝送用コネクタにおいて、ケーブルを中継基板に接続する接続パッドのうち対をなす平衡伝送信号が供給される接続パッドを、中継基板の一方の面に隣接して配置したことを特徴とする。【選択図】図７
2008177045.tif 000002
【特許請求の範囲】
【請求項１】
プラグ本体とケーブルとを中継する中継基板を有する平衡伝送用コネクタにおいて、
前記ケーブルを前記中継基板に接続する接続パッドのうち対をなす平衡伝送信号が供給される接続パッドを、前記中継基板の一方の面に隣接して配置したことを特徴とする平衡伝送用コネクタ。
【請求項２】
前記中継基板は、多層プリント配線板から構成されており、
前記プラグ本体と前記ケーブルとを接続する配線パターンは、前記中継基板の中間層に配線されていることを特徴とする請求項１記載の平衡伝送用コネクタ。
【請求項３】
前記配線パターンと前記接続パッドとはスルーホールによって接続されていることを特徴とする請求項２記載の平衡伝送用コネクタ。
【請求項４】
前記配線パターンは、前記プラグ本体と前記ケーブルとの間が等長に形成されていることを特徴とする請求項１記載の平衡伝送用コネクタ。
【請求項５】
前記プラグ本体を前記中継基板に接続する接続パッドのうち対をなす平衡信号が供給される接続パッドは、前記中継基板の一方の面と他方の面とに分かれて配置されていることを特徴とする請求項１記載の平衡伝送用コネクタ。
【請求項６】
前記配線パターンのうち対をなす平衡伝送信号が伝送される配線パターンは、接地パターンにより囲まれていることを特徴とする請求項２記載の平衡伝送用コネクタ。
【請求項７】
プラグ本体とケーブルとを中継する中継基板を有する平衡伝送用コネクタにおいて、
前記中継基板は、多層プリント配線板から構成され、
前記プラグ本体と前記ケーブルとを接続する配線パターンは、前記中継基板の表面から中間層を通って前記プラグ本体と前記ケーブルとに接続されることを特徴とする平衡伝送用コネクタ。
【請求項８】
前記ケーブルを前記中継基板に接続する接続パッドのうち対をなす平衡伝送信号が供給される接続パッドは、前記中継基板の一方の面に隣接して配置されていることを特徴とする請求項７記載の平衡伝送用コネクタ。
【請求項９】
前記プラグ本体を前記中継基板に接続する接続パッドのうち対をなす平衡信号が供給される接続パッドは、前記中継基板の一方の面と他方の面とに分かれて配置されていることを特徴とする請求項７記載の平衡伝送用コネクタ。
【請求項１０】
請求項１乃至９のいずれか一項記載の平衡伝送用コネクタと、
前記平衡伝送用コネクタに接続された平衡伝送用ケーブルとを有することを特徴とする平衡伝送用ケーブルアッセンブリ。
【発明の詳細な説明】
【技術分野】
【０００１】
本発明は平衡伝送用コネクタ及び平衡伝送用ケーブルアッセンブリに係り、特に、ケーブルと機器との間で信号を平衡伝送する平衡伝送用コネクタ及び平衡伝送用ケーブルアッセンブリに関する。
【背景技術】
【０００２】
パーソナルコンピュータと周辺機器間を接続するのには、ケーブルの両端にコネクタを有するケーブル付きコネクタが使用される。ケーブルの端のコネクタをパーソナルコンピュータ及び周辺機器に接続することによって、パーソナルコンピュータと周辺機器との間で、データが伝送される。
【０００３】
データの伝送の方式としては、データごとに一本の電線を使用する通常の伝送方式と、データごとに対をなす二本の電線を使用して、伝送すべき＋信号とこの＋信号とは大きさが等しく逆向きの−信号とを同時に伝送すると平衡伝送方式がある。平衡伝送方式は、通常の伝送方式に比べてノイズの影響を受けにくいという利点を有しており、多く採用されつつある。
【０００４】
近年のパーソナルコンピュータやそのネットワークの発達に伴い、各システムは特に動画像の大量のデータを伝送することが求められている。動画像の大量のデータを伝送するためには、データを１Ｇｂｉｔ／秒以上の高速度で伝送する必要がある。
【０００５】
データの高速伝送を行うためには、伝送特性を向上させる必要があった。
【０００６】
図１１は従来の平衡伝送用コネクタの分解斜視図を示す。
【０００７】
従来の平衡伝送用コネクタ１０は、平衡伝送用プラグ本体１１、中継基板１２、シールドケース１３、カバー１４から構成されている。平衡伝送用プラグ本体１１は、平衡伝送用ソケットコネクタに装着されて、平衡伝送用ソケットコネクタとの接続を行う。
【０００８】
中継基板１２は、矢印Ｙ１方向側の端辺に平衡伝送用ケーブル２１の信号線が半田付けされ、矢印Ｙ２方向の端辺に平衡伝送用プラグ本体１２が半田付けされ、平衡伝送用プラグ本体１２と平衡伝送用ケーブル２１とを中継し、接続する。
【０００９】
シールドケース１３及びカバー１４は、平衡伝送用プラグ本体１１、中継基板１２、平衡伝送用ケーブル２１の端部をシールドしつつ、収容する。
【００１０】
従来の平衡伝送用コネクタ１０は、平衡伝送用ケーブル２１のうち一対の平衡伝送信号線２２を構成する第１の信号線２２ａと第２の信号線２２ｂとを中継基板１２の表裏に分けて配線し、中継基板１２に半田付けする構成であった。
【００１１】
図１２は中継基板１２の構成図を示す。
【００１２】
中継基板１２は、誘電体基板３１の矢印Ｚ１方向側の面にプラグ本体側第１信号線接続パッド４１、ケーブル側第１信号線接続パッド４２、接地接続パッド４３、４４、第１信号配線パターン４５が形成され、誘電体基板３１の矢印Ｚ２方向側の面にプラグ本体側第２信号線接続パッド５１、ケーブル側第２信号線接続パッド５２、接地接続パッド５３、５４、第２信号配線パターン５５が形成された構成とされている。
【００１３】
プラグ本体側第１信号線接続パッド４１には、平衡伝送用プラグ本体１１の第１信号端子が接続される。ケーブル側第１信号線接続パッド４２には、平衡伝送用ケーブル２１の平衡伝送信号線２２を構成する第１の信号線２２ａが接続される。
【００１４】
接地接続パッド４３には、平衡伝送用プラグ本体１１の接地板が接続される。接地パッド４４には、平衡伝送用ケーブル２１の平衡伝送信号線２２において第１の信号線２２ａ及び第２の信号線２２ｂと対をなすドイレインワイヤ２２ｃが接続される。
【００１５】
第１信号配線パターン４５は、プラグ本体側第１信号線接続パッド４１とケーブル側第１信号線接続パッド４２とを接続する配線パターンである。
【００１６】
プラグ本体側第２信号線接続パッド５１には、平衡伝送用プラグ本体１１の第２信号端子が接続される。ケーブル側第２信号線接続パッド５２には、平衡伝送用ケーブル２１の平衡伝送信号線２２を構成する第２の信号線２２ｂが接続される。
【００１７】
接地接続パッド５３には、平衡伝送用プラグ本体１１の接地板が接続される。
【００１８】
接地接続パッド５４には、平衡伝送用ケーブル２１の平衡伝送信号線２２において第１の信号線２２ａ及び第２の信号線２２ｂと対をなすドイレインワイヤ２２ｃが接続される。
【００１９】
第２信号配線パターン５５は、プラグ本体側第２信号線接続パッド５１とケーブル側第２信号線接続パッド５２とを接続する配線パターンである。
【００２０】
このように、従来の中継基板１２は、一方の面に第１の信号を伝送する伝送路が形成され、他方の面に第１の信号と対をなす第２の信号の伝送路が形成されていた。
【００２１】
なお、信号の伝送に関して、関連した技術として、高速伝送路を構成するペア信号を伝達される接続パッドをプリント配線板の片側に形成した構造としたカードエッジコネクタが提案されている（例えば、特許文献１参照）。また、外層に部品実装用接続パッドを設け、内層に信号ラインを設け、スルーホールを介して外層の部品実装用接続パッドと内層の信号ラインとを接続する構造とした多層プリント配線板が提案されている（例えば、特許文献２参照）。
【特許文献１】特開２００５−２６０２０号公報
【特許文献２】特開平４−２６１０９７号公報
【発明の開示】
【発明が解決しようとする課題】
【００２２】
しかるに、従来の平衡伝送用コネクタ１０は、平衡伝送用ケーブル２１のうち一対の平衡伝送信号線２２を構成する第１の信号線２２ａと第２の信号線２２ｂとを中継基板１２の表裏に分けて配線し、中継基板１２に半田付けする構成であったため、一対の平衡伝送信号線２２を第１の信号線２２ａと第２の信号線２２ｂとに分けて、中継基板１２の表裏に分配して配置する必要があり、半田付けに手間がかかっていた。
【００２３】
また、プラグ側の配線パターン４５とケーブル側の配線パターン５５とが中継基板１２の表面に形成されており、一対の平衡伝送路が中継基板１２の表裏に形成されることになるので、中継基板１２の厚さの影響を受ける。中継基板は厚さにばらつきがあるので、伝送特性が一定しないなどの問題点があった。
【００２４】
本願発明は上記の点に鑑みてなされたもので、配線を容易とするとともに、伝送特性を向上することができる平衡伝送用コネクタ及び平衡伝送用ケーブルアッセンブリを提供することを目的とする。
【課題を解決するための手段】
【００２５】
本発明は、プラグ本体とケーブルとを中継する中継基板を有する平衡伝送用コネクタにおいて、ケーブルを中継基板に接続する接続パッドのうち対をなす平衡伝送信号が供給される接続パッドを、中継基板の一方の面に隣接して配置したことを特徴とする。
【００２６】
また、中継基板は多層プリント配線板から構成されており、プラグ本体とケーブルとを接続する配線パターンは中継基板の中間層に配線されていることを特徴とする。
【００２７】
さらに、配線パターンと接続パッドとは、スルーホールによって接続されていることを特徴とする。
【００２８】
また、配線パターンは、プラグ本体とケーブルとの間が等長に形成されていることを特。
【００２９】
プラグ本体を中継基板に接続する接続パッドのうち対をなす平衡信号が供給される接続パッドは、中継基板の一方の面と他方の面とに分かれて配置されていることを特徴とする。
【００３０】
配線パターンのうち対をなす平衡伝送信号が伝送される配線パターンは、接地パターンにより囲まれていることを特徴とする。
【００３１】
また、本発明は、プラグ本体とケーブルとを中継する中継基板を有する平衡伝送用コネクタにおいて、中継基板は多層プリント配線板から構成され、プラグ本体とケーブルとを接続する配線パターンは中継基板の表面から中間層を通ってプラグ本体とケーブルとに接続されることを特徴とする。
【００３２】
ケーブルを前記中継基板に接続する接続パッドのうち対をなす平衡伝送信号が供給される接続パッドは、中継基板の一方の面に隣接して配置されていることを特徴とする。
【００３３】
プラグ本体を中継基板に接続する接続パッドのうち対をなす平衡信号が供給される接続パッドは、中継基板の一方の面と他方の面とに分かれて配置されていることを特徴とする。
【発明の効果】
【００３４】
本発明によれば、ケーブルを中継基板に接続する接続パッドのうち対をなす平衡伝送信号が供給される接続パッドを、中継基板の一方の面に隣接して配置することにより、ケーブルの中継基板への接続を容易に行える。
【００３５】
また、本発明によれば、中継基板を多層プリント配線板で構成し、プラグ本体とケーブルとを接続する配線パターンを中継基板の表面から中間層を通ってプラグ本体とケーブルとを接続する構成とすることにより、中継基板の厚さの影響を受けないので、伝送特性を向上させることができる。
【発明を実施するための最良の形態】
【００３６】
〔システム構成〕
図１は本発明の一実施例のシステム構成図を示す。
【００３７】
本実施例のシステム１００は、電子機器１０１と電子機器１０２とが平衡伝送用ケーブルアッセンブリ１０３によって接続された構成とされている。
【００３８】
図２は平衡伝送用ケーブルアッセンブリ１０３の構成図を示す。
【００３９】
平衡伝送用ケーブルアッセンブリ１０３は、平衡伝送用ケーブル１１１の両端に平衡伝送用コネクタ１１２が接続された構成とされている。平衡伝送用コネクタ１１２は、一方が電子機器１０１の平衡伝送用ソケットコネクタ１０４及び他方が電子機器１０２の平衡伝送用ソケットコネクタ１０５に接続される。
【００４０】
〔平衡伝送用コネクタ１１０〕
図３は平衡伝送用コネクタ１１２の分解斜視図、図４は平衡伝送用コネクタ１１２の断面図を示す。
【００４１】
本実施例の平衡伝送用コネクタ１１０は、平衡伝送用プラグ本体１２１、中継基板１２２、シールドケース１２３、カバー１２４から構成されている。平衡伝送用プラグ本体１２１は、平衡伝送用ソケットコネクタ１０５に装着されて、平衡伝送用ソケットコネクタ１０５との接続を行う。
【００４２】
中継基板１２２は、矢印Ｙ１方向側の端辺に平衡伝送用ケーブル１１１の信号線が半田付けされ、矢印Ｙ２方向の端辺に平衡伝送用プラグ本体１２１が半田付けされ、平衡伝送用プラグ本体１２１と平衡伝送用ケーブル１１１とを接続する。
【００４３】
シールドケース１２３及びカバー１２４は、平衡伝送用プラグ本体１２１、中継基板１２２、平衡伝送用ケーブル１１１の端部をシールドしつつ、収容する。
【００４４】
〔平衡伝送用ケーブル１１１〕
次に、平衡伝送用ケーブル１１１について説明する。
【００４５】
図５は平衡伝送用ケーブル１１１の横断面図を示す。
【００４６】
平衡伝送用ケーブル１１１は、外被覆部１９１及び電線群用遮蔽網線１９２により複数の平衡伝送路線１９３を包囲した構成とされている。各平衡伝送路線１９３は、平衡信号伝送用の対をなす第１の信号線１９４−１、及び、第２の信号線１９４−２並びに、ドイレインワイヤ１９５を有する構成とされている。
【００４７】
〔平衡伝送用プラグ本体１２１〕
先ず、平衡伝送用プラグ本体１２１について説明する。
【００４８】
図６は平衡伝送用プラグ本体１２１の要部の分解斜視図を示す。
【００４９】
平衡伝送用プラグ本体１２１は、ブロック体１３１，第１の信号コンタクト１３２，第２の信号コンタクト１３３、グランドコンタクト１３４から構成されている。
【００５０】
ブロック体１３１は、電気絶縁性を有する合成樹脂製のモールド部品であり、第１の信号コンタクト１３２，第２の信号コンタクト１３３、グランドコンタクト１３４が矢印Ｘ１、Ｘ２方向に交互に埋設された構造とされている。ブロック体１３１は、第１、第２の信号コンタクト１３２、１３３、グランドコンタクト１３４を相互に電気的に絶縁させると共に所定のピッチで保持する。
【００５１】
ブロック体１３１は、ベース部１４１、突出部１４２を有する。突出部１４２は、板状をなし、ベース部１４１から矢印２方向に突き出している板状の突き出した構造とされている。突出部１４２が、平衡伝送用ソケットコネクタ１０５と係合して、第１、第２の信号コンタクト１３２、１３３、グランドコンタクト１３４との接触が行われる。
【００５２】
第１の信号コンタクト１３２は、コンタクト本体１３２ａ、端子部１３２ｂ、１３２ｃから構成されている。コンタクト本体１３２ａは、ブロック体１３１に埋設される。端子部１３２ｂは、コンタクト本体１３２ａから矢印Ｙ２方向に延出しており、突出部１４２の矢印Ｚ１方向側に表出し、平衡伝送用ソケットコネクタ１０５との接続を行う。端子部１３２ｃは、コンタクト本体１３２ａから矢印Ｙ１方向に延出しており、ブロック体１３１から矢印Ｙ１方向に延出され、中継基板１２２の矢印Ｚ１方向側の面で半田付けされ、中継基板１２２との接続を行う。
【００５３】
第２の信号コンタクト１３３は、コンタクト本体１３３ａ、端子部１３３ｂ、１３３ｃから構成されている。コンタクト本体１３３ａは、ブロック体１３１に埋設される。端子部１３３ｂは、コンタクト本体１３３ａから矢印Ｙ２方向に延出しており、突出部１４２の矢印Ｚ２方向側に表出し、平衡伝送用ソケットコネクタ１０５との接続を行う。端子部１３３ｃは、コンタクト本体１３３ａから矢印Ｙ１方向に延出しており、ブロック体１３１から矢印Ｙ１方向に延出され、中継基板１２２の矢印Ｚ２方向側の面で半田付けされ、中継基板１２２との接続を行う。
【００５４】
第１の信号コンタクト１３２と第２の信号コンタクト１３３とは、矢印Ｚ１、Ｚ２方向に併設され、１対の平衡伝送路を構成している。
【００５５】
グランドコンタクト１３４は、コンタクト本体１３４ａ、端子部１３４ｂ、１３４ｃ、１３４ｄから構成されている。コンタクト本体１３４ａは、ブロック体１３１に埋設される。端子部１３４ｂは、コンタクト本体１３４ａから矢印Ｙ２方向に延出しており、突出部１４２の矢印Ｚ１、Ｚ２方向側に表出し、平衡伝送用ソケットコネクタ１０５との接続を行う。端子部１３４ｃは、コンタクト本体１３３ａの矢印Ｚ１方向側から矢印Ｙ１方向に延出しており、ブロック体１３１から矢印Ｙ１方向に延出され、中継基板１２２の矢印Ｚ１方向側の面で半田付けされ、中継基板１２２との接続を行う。端子部１３４ｄは、コンタクト本体１３４ａの矢印Ｚ２方向側から矢印Ｙ１方向に延出しており、ブロック体１３１から矢印Ｙ１方向に延出され、中継基板１２２の矢印Ｚ２方向側の面で半田付けされ、中継基板１２２との接続を行う。
【００５６】
グランドコンタクト１３４は、第１の信号コンタクト１３２及び第２の信号コンタクト１３３と矢印Ｘ１、Ｘ２方向に交互に配置されており、隣接する平衡伝送路の間をシールドしている。
【００５７】
〔中継基板１２２〕
次に、中継基板１２２について説明する。
【００５８】
図７は平衡伝送用プラグ本体１２１及び中継基板１２２の要部の斜視図、図８は中継基板１２２の構成図、図９は中継基板１２２の要部の断面図、図１０は中継基板１２２の要部の平面図を示す。
【００５９】
中継基板１２２は、多層プリント配線板から構成されている。中継基板１２２の矢印Ｚ１方向側の面には、プラグ本体側第１信号接続パッド１５１−１〜１５１−ｎ、プラグ本体側グランド接続パッド１５２、ケーブル側第１信号接続パッド１５３−１〜１５３−ｍ、ケーブル側第２信号接続パッド１５４−１〜１５４−ｍ、ケーブル側グランド接続パッド１５５が形成されている。なお、ｍ＝（ｎ／２）である。
【００６０】
また、中継基板１２２の矢印Ｚ２方向側の面にはプラグ本体側第２信号接続パッド１６１−１〜１６１−ｎ、プラグ本体側グランド接続パッド１６２、ケーブル側第１信号接続パッド１６３−１〜１６３−ｍ、ケーブル側第２信号接続パッド１６４−１〜１６４−ｍ、ケーブル側グランド接続パッド１６５が形成されている。
【００６１】
プラグ本体側第１信号接続パッド１５１−１には、第１の信号コンタクト１３２の端子部１３２ｃが半田付けされる。プラグ本体側第１信号接続パッド１５１−１は、スルーホール１７１を通して中間層に形成された配線パターン１８１の一端に接続されている。
【００６２】
配線パターン１８１は中継基板１２２の中間層に形成されており、一端がスルーホール１７１に接続され、他端がスルーホール１７２に接続されている。スルーホール１７２は中継基板１２２を矢印Ｚ１方向側表面に表出するように形成されており、ケーブル側第１信号接続パッド１５３−１に接続されている。これにより、プラグ本体側第１信号接続パッド１５１−１とケーブル側第１信号接続パッド１５３−１とが配線パターン１８１を介して接続される。
【００６３】
なお、同様にして、プラグ本体側第１信号接続パッド１５１−３とケーブル側第１信号接続パッド１５３−２、・・・、プラグ本体側第１信号接続パッド１５１−ｎ−１とケーブル側第１信号接続パッド１５３−ｍとが配線パターン１８１を介して接続される。
【００６４】
また、プラグ本体側グランド接続パッド１５２には、グランドコンタクト１３４の端子部１３４ｃが半田付けされる。プラグ本体側グランド接続パッド１５２は、グランドパターン１８２に接続される。
【００６５】
なお、ケーブル側第１信号接続パッド１５３−１には、平衡伝送用ケーブル１１１のうちの一対の平衡伝送路を構成する第１信号線が半田付けされる。
【００６６】
また、ケーブル側第２信号接続パッド１５４−１には、平衡伝送用ケーブル１１１のうちのケーブル側第１信号接続パッド１５３−１に接続される第１信号線と対をなす第２信号線が半田付けされる。ケーブル側第２信号接続パッド１５４−１には、スルーホール１７４が接続されている。
【００６７】
さらに、ケーブル側グランド接続パッド１５５は、平衡伝送用ケーブル１１１のうちのケーブル側第１信号接続パッド１５３及びケーブル側第２信号接続パッド１５４に接続される第１信号線及び第２信号線と対をなす接地線が半田付けされる。
【００６８】
プラグ本体側第２信号接続パッド１６１−１には、第２の信号コンタクト１３３の端子部１３３ｃが半田付けされる。プラグ本体側第２信号接続パッド１６１は、スルーホール１７３を通して中間層に形成された配線パターン１８３の一端に接続されている。
【００６９】
配線パターン１８３は中継基板１２２の中間層に形成されており、一端がスルーホール１７３に接続され、他端がスルーホール１７４に接続されている。スルーホール１７３は中継基板１２２の矢印Ｚ２方向側表面に表出するように形成されており、プラグ本体側第２信号接続パッド１６１−１に接続されている。
【００７０】
また、スルーホール１７４は、中継基板１２２の矢印Ｚ１方向側表面に表出するように形成されており、ケーブル側第２信号接続パッド１５４−１に接続されている。これによって、プラグ本体側第２信号接続パッド１６１−１とケーブル側第２信号接続パッド１５４−１とは配線パターン１８３を介して接続される。
【００７１】
同様にして、プラグ本体側第２信号接続パッド１６１−３とケーブル側第２信号接続パッド１５４−２、・・・、プラグ本体側第２信号接続パッド１６１−ｎ−１とケーブル側第２信号接続パッド１５４−ｍとが配線パターン１８３を介して接続される。
【００７２】
なお、プラグ本体側グランド接続パッド１６２には、グランドコンタクト１３４の端子部１３４ｄが半田付けされ、接地電位とされる。
【００７３】
ケーブル側第１信号接続パッド１６３−１には、配線パターン１８４の一端が接続されている。配線パターン１８４は、中継基板１２２の矢印Ｚ２方向側の面に形成されており、他端がスルーホール１７５に接続されている。スルーホール１７５は、配線パターン１８４を中継基板１２２の中間層に形成された配線パターン１８５の一端に接続する。配線パターン１８５は、中継基板１２２の中間層に形成されており、一端がスルーホール１７５に接続され、他端がスルーホール１７６に接続されている。スルーホール１７６は、中継基板１２２の中間層と矢印Ｚ１方向側の表面とを接続しており、配線パターン１８５の他端をプラグ本体側第１信号接続パッド１５１−２に接続する。
【００７４】
以上により、ケーブル側第１信号接続パッド１６３−１とプラグ本体側第１信号接続パターン１５１−２とが接続される。
【００７５】
同様に、ケーブル側第１信号接続パッド１６３−２とプラグ本体側第１信号接続パターン１５１−４、・・・、ケーブル側第１信号接続パッド１６３−ｍとプラグ本体側第１信号接続パターン１５１−ｎとが接続される。
【００７６】
ケーブル側第２信号接続パッド１６４−１には、配線パターン１８６の一端が接続されている。配線パターン１８６は、中継基板１２２の矢印Ｚ２方向側の面に形成されており、他端がスルーホール１７７に接続されている。スルーホール１７７は、配線パターン１８６を中継基板１２２の中間層に形成された配線パターン１８７の一端に接続する。配線パターン１８５は、中継基板１２２の中間層に形成されており、一端がスルーホール１７５に接続され、他端がスルーホール１７７に接続されている。スルーホール１７７は、中継基板１２２の中間層と矢印Ｚ２方向側の表面とを接続しており、配線パターン１８７の他端をプラグ本体側第２信号接続パッド１６１−２に接続する。
【００７７】
以上により、ケーブル側第２信号接続パッド１６４−１とプラグ本体側第２信号接続パターン１６１−２とが接続される。
【００７８】
同様に、ケーブル側第２信号接続パッド１６４−２とプラグ本体側第２信号接続パターン１６１−４、・・・、ケーブル側第２信号接続パッド１６４−ｍとプラグ本体側第２信号接続パターン１６１−ｎとが接続される。
【００７９】
なお、ケーブル側グランド接続パッド１６５は、平衡伝送用ケーブル１１１のうちのケーブル側第１信号接続パッド１５３−１及びケーブル側第２信号接続パッド１５４−１に接続される第１信号線及び第２信号線と対をなす接地線が半田付けされる。
【００８０】
なお、配線パターン１８１と配線パターン１８３、及び、配線パターン１８４、１８５と配線パターン１８６、１８７とは、例えば、図７に示すようにプラグ本体側第１信号接続パッド１５１−１〜１５１−ｎ及びプラグ本体側第２信号接続パッド１６１−１〜１６１−ｎとケーブル側第１信号接続パッド１５３−１〜１５３−ｍ、１６３−１〜１６３−ｍ及びケーブル側第２信号接続パッド１５４−１〜１５４−ｍ、１６４−１〜１６４−ｍとの間で等長となるように中継基板１２２に配線されている。
【００８１】
また、中継基板１２２により中継基板１２２の矢印Ｚ１方向側の面と矢印Ｚ２方向側の面とに分かれていた１対の平衡伝送路を中継基板１２２の矢印Ｚ１方向側の面、又は、矢印Ｚ２方向側のいずれか一方の面から出力させることができる。
【００８２】
本実施例によれば、平衡伝送用ケーブル１１１の各平衡伝送路線１９３の第１の信号線１９４−１、及び、第２の信号線１９４−２、並びに、ドレインワイヤ１９５を中継基板１２２の一方の面で半田付けすることができるため、半田付けを容易に行える。
【００８３】
また、配線パターン１８１、１８３、配線パターン１８５、１８７を中継基板１２２の中間層に形成することにより伝送特性の劣化を防止できる。さらに、配線パターン１８１、１８３、配線パターン１８４，１８５、１８６、１８７を等長とすることにより更に伝送特性の劣化を防止できる。
【００８４】
なお、本発明は上記実施例に限定されるものではなく、本発明の要旨を逸脱しない範囲において種々の変形例が考えられることは言うまでもない。
【図面の簡単な説明】
【００８５】
【図１】本発明の一実施例のシステム構成図である。
【図２】平衡伝送用ケーブルアッセンブリ１０３の構成図である。
【図３】平衡伝送用コネクタ１１２の分解斜視図である。
【図４】平衡伝送用コネクタ１１２の断面図である。
【図５】平衡伝送用ケーブル１１１の横断面図である。
【図６】平衡伝送用プラグ本体１２１の要部の分解斜視図である。
【図７】平衡伝送用プラグ本体１２１及び中継基板１２２の要部の斜視図である。
【図８】中継基板１２２の構成図である。
【図９】中継基板１２２の要部の断面図である。
【図１０】中継基板１２２の要部の平面図である。
【図１１】従来の平衡伝送用コネクタの一例の分解斜視図である。
【図１２】中継基板１２の構成図である。
【符号の説明】
【００８６】
１００  システム、１０１、１０２  電子機器
１０３  平衡伝送用ケーブルアッセンブリ
１０４、１０５  平衡伝送用ソケットコネクタ
１１１  平衡伝送用ケーブル
１１２  平衡伝送用コネクタ
１２１  平衡伝送用プラグ本体、１２２  中継基板、１２３  シールドケース
１２４  カバー
１３１  ブロック体、１３２  第１の信号コンタクト１３３  第２の信号コンタクト
１３４  グランドコンタクト
１３２ａ  コンタクト本体、１３２ｂ、１３２ｃ  端子部
１３３ａ  コンタクト本体、１３３ｂ、１３３ｃ  端子部
１５１−１〜１５１−ｎ  プラグ本体側第１信号接続パッド
１５２  プラグ本体側グランド接続パッド
１５３−１〜１５３−ｍ  ケーブル側第１信号接続パッド
１５４−１〜１５４−ｍ  ケーブル側第２信号接続パッド
１５５  ケーブル側グランド接続パッド
１６１−１〜１６１−ｎ  プラグ本体側第２信号接続パッド
１６２  プラグ本体側グランド接続パッド、
１６３−１〜１６３−ｍ  ケーブル側第１信号接続パッド
１６４−１〜１６４−ｍ  ケーブル側第２信号接続パッド
１６５  ケーブル側グランド接続パッド
１７１〜１７８  スルーホール、１８１、１８３、１８４〜１８７  配線パターン
１８２  接地パターン
１９１  外被覆部、１９２  電線群用遮蔽網線  １９３  平衡伝送路線
１９４−１  第１の信号線、１９４−２  第２の信号線、１９５  ドイレインワイヤ
【図１】
2008177045.tif 000003
【図２】
2008177045.tif 000004
【図３】
2008177045.tif 000005
【図４】
2008177045.tif 000006
【図５】
2008177045.tif 000007
【図６】
2008177045.tif 000008
【図７】
2008177045.tif 000009
【図８】
2008177045.tif 000010
【図９】
2008177045.tif 000011
【図１０】
2008177045.tif 000012
【図１１】
2008177045.tif 000013
【図１２】
2008177045.tif 000014